(57)【要約】【課題】熱交換素子内部に結露・結氷が生じる条件下において、排気経路の目詰まりを抑制し、室内の必要換気量を確保できる連続運転の時間を長くすることができる熱交換素子とそれを用いた熱交換形換気装置を提供することを目的とする。【解決手段】間隔を保持する間隔リブ１６と、略平行に略等間隔で設けられた複数の風路リブ１７を備えた複数の伝熱板１８を積層して排気流４が流通する排気風路１２と給気流５が流通する給気風路１４を１層ずつ交互に構成する熱交換素子であって、排気風路１２内の給気風路１４の入口近傍の少なくとも１本の風路リブ１７が波形である熱交換素子。【選択図】図６
2014077619.tif 000002
【特許請求の範囲】
【請求項１】
間隔を保持する間隔保持手段と、略平行に略等間隔で設けられた複数の風路リブを備えた複数の伝熱手段を積層して排気流が流通する排気風路と給気流が流通する給気風路を１層ずつ交互に構成する熱交換素子であって、
前記排気風路内の前記給気風路の入口側近傍の少なくとも１本の前記風路リブが波形である熱交換素子。
【請求項２】
前記風路リブの下流側の波形の振幅は、上流側の波形の振幅より小さいことを特徴とする請求項１に記載の熱交換素子。
【請求項３】
複数本ある波形の前記風路リブのうち、前記給気風路の入口側の風路リブの振幅は出口側の風路リブの振幅より大きいことを特徴とする請求項１または２に記載の熱交換素子。
【請求項４】
前記排気風路内の前記給気風路の入口側の前記間隔保持手段に含有水分着霜域を設けたことを特徴とする請求項１から３のいずれかに記載の熱交換素子。
【請求項５】
前記含有水分着霜域は、前記給気風路の入口側に向かって突出する波形の風路リブの各々の凸部近傍であって、前記凸部より排気流の下流側に配置としたことを特徴とする請求項４に記載の熱交換素子。
【請求項６】
前記含有水分着霜域は、前記排気流の上流側に上流側凹部、下流側に下流側凹部を有し、前記下流側凹部は前記上流側凹部より深い構成としたことを特徴とする請求項４または５に記載の熱交換素子。
【請求項７】
請求項１から６のいずれかに記載の熱交換素子を用いた熱交換型換気機器。
【発明の詳細な説明】
【技術分野】
【０００１】
本発明は、熱交換素子とそれを用いた熱交換型換気機器に関するものである。
【背景技術】
【０００２】
近年、地球温暖化にともなって居住分野の省エネが重視されるようになってきた。住宅の消費エネルギーの中では給湯、照明、空調の消費エネルギーが比較的大きいため、これらの消費エネルギーを低減する技術が切に望まれている。
【０００３】
この中で住宅の空調負荷に着目すると、住宅の躯体から逃げる熱（冷房の場合は冷熱）と換気によって逃げる熱がある。住宅の躯体から逃げる熱は、ここ数十年での住宅の断熱、気密性能の大幅な向上により、かなり低減されるようになってきた。一方、換気によって逃げる熱を低減させるには、排気流と給気流の間で熱交換を行う熱交換型換気扇が有効である。熱交換素子は熱交換型換気扇の内部で排気流と給気流の間で熱交換を行うものである。
【０００４】
ところで空調エネルギー低減のニーズは寒冷地で特に大きいが、熱交換型換気扇は外気が低温の場合に熱交換素子内部で霜が発達するために風路が目詰まりするという課題があった。これは室内の暖かい空気が冷たい外気によって冷やされて低温になるためであり、排気風路の給気風路入口付近で着霜が特に顕著である。
【０００５】
寒冷地用の熱交換型換気扇では一般的な着霜対策として、ヒーターで外気を温めてから熱交換素子に導入したり、熱交換素子が着霜した場合には室内空気を熱交換型換気扇内部に循環させて霜を溶かしたり（これをデフロストと言う）している。しかしヒーターを使用するとエネルギー消費が大きくなるという課題があり、またデフロストをするとその間は換気ができないといった課題があった。
【０００６】
これらの課題に対して、熱交換素子の形状を工夫することにより、外気が低温になってもなるべく熱交換素子内部の風路が目詰まりしないようにする検討がなされてきた。
【０００７】
従来のこの種の熱交換素子としては、排気風路の間隔材を可能な限り少なくしたものが知られている（例えば、特許文献１参照）。
【０００８】
以下、その熱交換素子について図１１を参照しながら説明する。
【０００９】
図１１に示すように、熱交換素子１０１は伝熱板１０２とその間隔を保持する間隔リブ１０３を積層して構成されている。伝熱板１０２と間隔リブ１０３に囲まれた部分が排気風路１０４と給気風路１０５であり、排気風路１０４を通る排気流と給気風路１０５を通る給気流が伝熱板１０２を介して熱交換するようになっている。
【００１０】
この熱交換素子１０１は、排気風路１０４を構成する間隔リブ１０３を可能な限り少なくすることにより、排気風路の開口面積を大きくし、着霜による目詰まりを抑制するものである。
【先行技術文献】
【特許文献】
【００１１】
【特許文献１】実開昭６１−７４７８８号公報
【発明の概要】
【発明が解決しようとする課題】
【００１２】
このような従来の熱交換素子は、もともと開口面積の小さい排気風路に設けられた間隔リブの数を減らすものであり、間隔リブに囲まれた１つの排気風路の開口面積を大きくできても排気風路全体の開口面積は変わらず、排気風路内でも着霜しやすい箇所があるため効果が限定的であるという課題があった。
【００１３】
そこで本発明は上記従来の課題を解決するものであり、外気温度が低い寒冷地における排気流と給気流の熱交換において、外気温度の低い給気流によって排気流が冷やされても排気風路の着霜による目詰まりを抑制する熱交換素子を提供することを目的とする。
【課題を解決するための手段】
【００１４】
そして、この目的を達成するために、本発明は、間隔を保持する間隔保持手段と、略平行に略等間隔で設けられた複数の風路リブを備えた複数の伝熱手段を積層して排気流が流通する排気風路と給気流が流通する給気風路を１層ずつ交互に構成する熱交換素子であって、
前記排気風路内の前記給気風路の入口近傍の少なくとも１本の前記風路リブが波形であることを特徴とするものであり、これにより所期の目的を達成するものである。
【発明の効果】
【００１５】
本発明によれば、間隔を保持する間隔保持手段と、略平行に略等間隔で設けられた複数の風路リブを備えた複数の伝熱手段を積層して排気流が流通する排気風路と給気流が流通する給気風路を１層ずつ交互に構成する熱交換素子であって、
前記排気風路内の前記給気風路の入口近傍の少なくとも１本の前記風路リブが波形である構成にしたことにより、寒冷地など、熱交換素子内部に結露・結氷が生じる条件下において、波形状の凹部を流れる排気流は、直線状の前記風路リブを流れる排気流より風速が遅くなる。したがって、凹部では、外気温の低い給気流に奪われる熱量が多く低温となる。これにより、各凹部で排気流の結露・結氷が促進されるため、前記排気風路内の結露・結氷を分散させることができる。そのため、熱交換素子内の前記排気風路の出口側に生じる結露・結氷を各凹部に分散させ、前記排気風路内の目詰まりを抑制する。その結果として、室内の必要換気量を確保できる連続運転の時間を長くすることができるという効果を得ることができる。
【図面の簡単な説明】
【００１６】
【図１】本発明の実施の形態１の熱交換型換気機器が設置された住宅の構成を示す概念図
【図２】同熱交換型換気機器の構成を示す概念図
【図３】同熱交換素子の構成を示す斜視図
【図４】同熱交換素子を分解した斜視図
【図５】一般的な熱交換素子の排気風路を平面的に示した概念図
【図６】本発明の実施の形態１の熱交換素子の平面図
【図７】同熱交換素子の平面図
【図８】複数の波形の風路リブをもつ同熱交換素子の平面図
【図９】含有水分着霜域をもつ同熱交換素子の平面図
【図１０】含有水分着霜域をもつ同熱交換素子の平面拡大図
【図１１】従来の熱交換素子の外観を示す斜視図
【発明を実施するための形態】
【００１７】
本発明の請求項１記載の熱交換素子は、間隔を保持する間隔保持手段と、略平行に略等間隔で設けられた複数の風路リブを備えた複数の伝熱手段を積層して排気流が流通する排気風路と給気流が流通する給気風路を１層ずつ交互に積層され、前記排気風路内の前記給気風路の入口側から順に少なくとも１本の前記風路リブが排気流の流れ方向に沿って波形である構成を有する。これにより、波形状の凹部を流れる排気流は、直線状の風路リブを流れる排気流より風速が遅くなる。風速の遅い排気流は伝熱板を介して給気流に奪われる熱が多い。したがって、凹部では、排気流の結露・結氷が促進されるので、熱交換素子内の排気風路の出口側に生じる結露・結氷を抑制し、目詰まりを抑制するので、結果として、室内の必要換気量を確保できる連続運転の時間を長くすることができるという効果を奏する。
【００１８】
また、前記風路リブの下流側の波形の振幅は、上流側の波形の振幅より小さくする構成にしてもよい。これにより、結露・結氷による熱交換素子内の排気風路の出口側の目詰まりを抑制しつつ、排気流の下流側での圧力損失を減らすことができるので、結果として、低圧損を保ちながら室内の必要換気量を確保できる連続運転の時間を長くすることができるという効果を奏する。
【００１９】
また、複数本ある波形の前記風路リブのうち、前記給気風路の入口側の風路リブの振幅が出口側の風路リブの振幅より大きくする構成にしてもよい。このような構成にすることで、結露・結氷を分散化させる部分を保ちながら、結露・結氷の比較的少ない出口側の前記風路リブの振幅を小さくすることで、排気流の前記給気風路の出口側の圧力損失を減らすことができる。結果として、排気流の低圧損を保ちながら室内の必要換気量を確保できる連続運転の時間を長くすることができるという効果を得ることができる。
【００２０】
また、前記排気風路内の前記給気風路の入口側の前記間隔保持手段に含有水分着霜域を設ける構成にしてもよい。このような構成にすることで、含有水分着霜域内において、排気流が間隔保持手段に遮られているために、排気流の風速は遅くなる。そのため、風速の遅い排気流は伝熱板を介して給気流に奪われる熱量が多い。したがって、含有水分着霜域内では排気流の結露・結氷が促進されるので、熱交素子内の排気風路の出口側に生じる結露・結氷を抑制し、目詰まりを抑制する。結果として、室内の必要換気風量を確保できる連続運転の時間を長くすることができるという効果を奏する。
【００２１】
また、前記含有水分着霜域は、前記給気風路の入口側に向かって突出する波形の風路リブの各々の凸部近傍であって、前記凸部より排気流の下流側に配置する構成にしてもよい。このような構成にすることで、前記給気風路入口側に向かって突出する風路リブの凸部近傍では、排気風路の出口側へ向かう排気流の流れ方向が前記給気風路入口方向に傾く。そのため、給気風路の入口側にある含有水分着霜域を前記凸部より排気流の下流側に配置することで、含有水分着霜域へ流入する排気流が増える。したがって、含有水分着霜域内では排気流の結露・結氷が促進されるので、熱交素子内の排気風路の出口側に生じる結露・結氷を抑制し、目詰まりを抑制する。結果として、室内の必要換気風量を確保できる連続運転の時間を長くすることができるという効果を奏する。  また、前記含有水分着霜域は、前記排気流の上流側に上流側凹部、下流側に下流側凹部を有し、前記下流側凹部は前記上流側凹部より深い構成にしてもよい。このような構成にすることで、下流側凹部が上流側凹部より深いため、含有水分着霜域に流入した排気流は含有水分着霜域から流出し難くなるので、含有水分着霜域の風速は排気風路の中央付近よりもより遅くなる。そのため、風速の遅い含有水分着霜域内の排気流は、伝熱板を介して給気流に奪われる熱量が多い。したがって、含有水分着霜域内では排気流の結露・結氷が促進されるので、熱交素子内の排気風路の出口側に生じる結露・結氷を抑制し、目詰まりを抑制する。結果として、室内の必要換気風量を確保できる連続運転の時間を長くすることができるという効果を奏する。
【００２２】
また本発明の請求項７記載の熱交換換気機器は、請求項１から６のいずれか一項に記載の熱交換素子を用いた熱交換換気機器という構成を有する。これにより、寒冷地においてヒーターによる加熱やデフロストなどの特別な霜対策をしなくてもよいという効果を奏する。
【００２３】
以下、本発明の実施の形態について図面を参照しながら説明する。
【００２４】
（実施の形態１）
図１は熱交換型換気機器が設置された２階建ての住宅を示す概念図である。図１に示すように、住宅１は、排気だけを行う非居住空間、例えば浴室、洗面所、トイレ、給排気を行う居住空間、例えばリビング、寝室、で構成されている。
【００２５】
各部屋の排気、給気はダクトで接続され、熱交換型換気機器２に接続され、熱交換型換気機器２は、屋外への排気流と屋外からの給気流の間で熱交換する熱交換素子３（図２で説明）を内蔵している。
【００２６】
図２は熱交換型換気機器２の構成を示す概念図である。図２に示すように、熱交換型換気機器２は、排気流４が流れる排気送風路４ａと、給気流５の給気送風路５ａと、排気流４を送風する排気送風手段６と、給気流５を送風する給気送風手段７と、排気流４と給気流５の間で熱交換する熱交換素子３で構成されている。
【００２７】
排気流４（図中の実線矢印）、給気流５（図中の破線矢印）の送風路には、内気（ＲＡ）を導入する内気口８から屋外に排気（ＥＡ）する排気口９にかけての排気送風路４ａと、外気（ＯＡ）を導入する外気口１０から室内に給気（ＳＡ）を吹き出す給気口１１にかけての給気送風路５ａと、排気送風路４ａに内気口８から排気口９に向かう排気流４を発生させる排気送風手段６と、給気送風路５ａに外気口１０から給気口１１に向かう給気流５を発生させる給気送風手段７と、排気送風路４ａと給気送風路５ａが交差する位置に、排気送風路４ａを流通する排気流４と給気送風路５ａを流通する給気流５との間で熱交換する熱交換素子３が設けられている。
【００２８】
ここで熱交換素子３の構成について図３、図４を用いて説明する。
【００２９】
図３は熱交換素子３の外観を示す斜視図であり、図４は熱交換素子３を分解した斜視図である。図４に示すように、熱交換素子３内部において、排気流４を流通する排気風路１２を構成する排気ユニット１３と、給気流５を流通する給気風路１４を構成する給気ユニット１５を備えており、排気ユニット１３と給気ユニット１５とはいずれも間隔保持手段として間隔リブ１６と風路を分割する風路リブ１７と伝熱手段として伝熱板１８を備えている。
【００３０】
図３に示す熱交換素子３は、図４に示す排気ユニット１３と給気ユニット１５を交互に複数積層した構成となっている。積層数は熱交換素子３を搭載する熱交換型換気機器２の大きさや風量によって決定される。
【００３１】
伝熱板１８は排気流４と給気流５の間で熱交換する役割を持つものであり、温度だけを交換するときは伝熱板１８にアルミニウムなどの金属板や樹脂板を用い、温度と湿度を交換するときは伝熱板１８に紙や樹脂などの透湿膜などを用い、目的に応じて適宜選択して良い。
【００３２】
なお一般的な性能の顕熱交換型の熱交換素子と全熱交換型の熱交換素子を比較すると、全熱交換型の熱交換素子の方が湿度（潜熱）も回収するため全熱交換効率が高く、空調負荷の省エネのためには全熱交換型の熱交換素子を使用することが望ましい。従来は透湿膜が着霜により劣化するという問題があり、寒冷地においては主に顕熱交換型の熱交換素子が用いられてきたが、最近では透湿膜の性能向上により着霜による劣化が防止できるようになってきた。寒冷地においては湿度を回収する全熱交換型の熱交換素子は、顕熱交換型の熱交換素子より排気風路の着霜による目詰まりを抑制することができ、全熱交換型の熱交換素子を使用することが望ましい。
【００３３】
間隔リブ１６や風路リブ１７は樹脂や金属で構成される。特に伝熱板１８を透湿膜にする場合、間隔リブ１６や風路リブ１７は伝熱板１８を金型内に挿入し、樹脂によるインサート射出成形による一体成形で形成すると良い。
【００３４】
上記のように構成された熱交換型換気機器２および熱交換素子３の作用と効果について、以下に説明する。
【００３５】
図１に示すような住宅に設置された熱交換型換気機器２において換気運転が開始されると、排気流４は排気送風手段６の運転により、内気（ＲＡ）を内気口８から導入し、排気送風路４ａを通り、熱交換素子３の排気風路１２を通過する時に、熱交換素子３の給気風路１４を通過する給気流５と熱交換した後、排気口９から屋外に排出される。
【００３６】
一方、給気流５は給気送風手段７の運転により、外気（ＯＡ）を外気口１０から導入し、給気送風路５ａを通り、熱交換素子３の給気風路１４を通過する時に、熱交換素子３の排気風路１２を通過する排気流４と熱交換した後、給気口１１から室内に給気される。
【００３７】
ここで、一般的な熱交換素子で着霜するメカニズムについて図５を参照しながら詳細に説明する。図５は一般的な熱交換素子の排気風路を平面的に示した概念図である。
【００３８】
室内の暖かい空気はＲＡとして熱交換素子に導入されるが、低温の外気であるＯＡと熱交換することにより排気流の温度が低下し、相対湿度が１００％を超えることで結露が生じる。さらに排気流の温度が氷点下になると結露が凍結して霜になる。全熱交換型の熱交換素子の場合は温度だけでなく湿度も交換するので排気流の相対湿度は上がりにくくなるが、一般的に湿度交換効率は温度交換効率よりも低いので、外気が非常に低温だとやはり着霜が生じることになる。
【００３９】
着霜が生じやすい領域は図５の斜線で示したような領域であり、排気風路内部の給気風路入口（ＯＡ）側である。これは、この領域の排気流が低温の外気であるＯＡと最初に熱交換するため、最も温度低下が大きいからである。
【００４０】
ここで、本願の特徴である、その目詰まり、排気風路１２内の結露・結氷による目詰まりを抑制する手段について図６を用いて説明する。
【００４１】
図６は熱交換素子３の内部構成が理解しやすいように伝熱板１８を除き、給気風路１４の間隔リブ１６を点線で示した平面図である。
【００４２】
図６に示すように、排気風路１２は風路を分割する風路リブ１７により、４本の排気風路１２ａ〜１２ｄに分割されている。
【００４３】
このとき、冬季に室外の温度が、例えば−１０℃以下のような低い温度になった場合、給気風路１４の流入部に最も近い排気風路１２ａを流れる排気流４の温度が低くなり、排気流の下流側で最も温度が低くなる。すなわち、結露・結氷は排気風路１２ａを流れる排気流の下流側で生じる。
【００４４】
ここで、排気風路１２内の給気風路１４の入口近傍の少なくとも１本の風路リブ１７が波形である構成をとっている。
【００４５】
このような構成にすることで、波形状の凹部を流れる排気流は、直線状の風路リブを流れる排気流４より風速が遅くなる。したがって、凹部では、外気温の低い給気流に奪われる熱量が多く低温となる。これにより、各凹部で排気流４の結露・結氷が促進されるため、排気風路１２内の結露・結氷を分散させることができる。そのため、熱交換素子内の排気風路１２の出口側に生じる結露・結氷を各凹部に分散させ、排気風路１２内の目詰まりを抑制する。
【００４６】
結果として、室内の必要換気量を確保できる連続運転の時間を長くすることができるという効果を得ることができる。
【００４７】
また、図７に示すように風路リブ１７の下流側の波形の振幅は、上流側の波形の振幅より小さい構成としてもよい。
【００４８】
このような構成にすることで、結露・結氷による熱交換素子内の排気風路１２の出口側の目詰まりを抑制しつつ、排気流４の熱交換素子内の出口側の風路リブ１７の振幅を上流側より小さくすることで、出口側の風路幅を広く保てることができるため、圧力損失を減らすことができる。
【００４９】
結果として、低圧損を保ちながら室内の必要換気量を確保できる連続運転の時間を長くすることができるという効果を得ることができる。
【００５０】
また、図８に示すように複数本ある波形の風路リブ１７のうち、給気風路１４の入口側の風路リブ１７ａの振幅が出口側の風路リブ１７ｃの振幅より大きくする構成にしてもよい。なお、波形の風路リブ１７には振幅がゼロの風路リブ１７ｃを含む。
【００５１】
このような構成にすることで、波形の風路リブ１７の結露・結氷を保持できる凹部の面積は給気風路１４の入口側で広くなり出口側で狭くなる。排気流４のうち、結露・結氷の多い給気風路１４の入口側では、凹部面積の広い風路リブ１７ａの凹部に多くの結露・結氷を分散することができる。一方、排気流４のうち、結露・結氷の少ない給気風路１４の出口側では、風路リブ１７ｃのように波形の振幅を小さくすることで圧力損失の上昇を抑制したまま結露・結氷を分散することができる。したがって、給気風路１４の出口側での圧力損失上昇を抑制しつつ、排気流４の出口側の結露・結氷による目詰まりを抑制することができる。
【００５２】
結果として、低圧損を保ちながら室内の必要換気量を確保できる連続運転の時間を長くすることができるという効果を得ることができる。
【００５３】
また、図９に示すように、排気風路１２内の給気風路１４の入口側の間隔リブ１６に含有水分着霜域１９を設ける構成にしてもよい。このような構成にすることで、含有水分着霜域１９内において、排気流４が間隔リブ１６に遮られているために、排気流４の風速は遅くなる。そのため、風速の遅い排気流４は伝熱板１８を介して給気流５に奪われる熱量が多い。したがって、含有水分着霜域１９内では排気流４の結露・結氷が促進されるので、排気流４の出口側に生じる結露・結氷を抑制し、目詰まりを抑制する。
【００５４】
結果として、室内の必要換気風量を確保できる連続運転の時間を長くすることができるという効果を奏する。
【００５５】
また、同じく図９に示すように、含有水分着霜域１９は、給気風路１４の入口側に向かって突出する波形の風路リブ１７の各々の凸部２０近傍であって、その凸部２０より排気流４の下流側に配置する構成にしてもよい。このような構成にすることで、給気風路１４入口側に向かって突出する風路リブ１７の凸部２０近傍では、排気風路１２の入口側から出口側へ向かう排気流４の流れ方向が給気風路１４の入口方向に傾く。そのため、給気風路１４の入口側にある含有水分着霜域１９を凸部２０より排気流４の下流側に配置することで、含有水分着霜域１９へ流入する排気流４が増える。したがって、含有水分着霜域１９内では排気流４の結露・結氷が促進されるので、排気風路１２の出口側に生じる結露・結氷を抑制し、目詰まりを抑制する。
【００５６】
結果として、室内の必要換気風量を確保できる連続運転の時間を長くすることができるという効果を奏する。
【００５７】
また、図１０に示すように、含有水分着霜域１９は、排気流４の上流側に上流側凹部２１、下流側に下流側凹部２２を有し、下流側凹部２２は上流側凹部２１より深い構成にしてもよい。このような構成にすることで、下流側凹部２２が上流側凹部２１より深いため、含有水分着霜域１９に流入した排気流４は含有水分着霜域１９から流出し難くなるので、含有水分着霜域１９の風速は排気風路１２の中央付近よりもより遅くなる。そのため、風速の遅い含有水分着霜域１９内の排気流４は、伝熱板１８を介して給気流５に奪われる熱量が多い。したがって、含有水分着霜域１９内では排気流４の結露・結氷が促進されるので、排気風路１２の出口側に生じる結露・結氷を抑制し、目詰まりを抑制する。
【００５８】
結果として、室内の必要換気風量を確保できる連続運転の時間を長くすることができるという効果を奏する。
【００５９】
また、本実施の形態では熱交換素子３を直交型としたが、対向型と直交型を組み合わせた六角形型の熱交換素子（図示せず）にも応用できる。六角形型の熱交換素子の場合もやはり排気風路の給気風路入口（ＯＡ）側で最も結露・結氷が起きやすいため、排気風路内の給気風路入口近傍の風路リブを波形の構成にすれば、排気風路が結露・結氷によって目詰まりすることを抑制することができる。
【００６０】
このように熱交換型換気機器は、排気風路１２の着霜による目詰まりを抑制することができる熱交換素子３の搭載により、外気温度が低い寒冷地において、熱交換素子３の排気風路１２の着霜による目詰まりを抑制することができるため、寒冷地おいても運転初期の換気風量を確保できる熱交換型換気機器を提供することができる。
【産業上の利用可能性】
【００６１】
本発明にかかる対向流型熱交換素子とそれを用いた熱交換型換気機器は、排気流の結露・結氷を分散化させることで、結露・結氷による目詰まりを抑制することができるので、結果として室内の必要換気量を確保できる連続運転の時間を長くすることができるので、寒冷地での熱交換素子とそれを用いた熱交換型換気機器として有用である。
【符号の説明】
【００６２】
１    住宅
２    熱交換型換気機器
３    熱交換素子
４    排気流
４ａ  排気送風路
５    給気流
５ａ  給気送風路
６    排気送風手段
７    給気送風手段
８    内気口
９    排気口
１０  外気口
１１  給気口
１２、１２ａ、１２ｂ、１２ｃ、１２ｄ  排気風路
１３  排気ユニット
１４  給気風路
１５  給気ユニット
１６  間隔リブ
１７、１７ａ、１７ｂ、１７ｃ  風路リブ
１８  伝熱板
１９  含有水分着霜域
２０  凸部
２１  上流側凹部
２２  下流側凹部
【図１】
2014077619.tif 000003
【図２】
2014077619.tif 000004
【図３】
2014077619.tif 000005
【図４】
2014077619.tif 000006
【図５】
2014077619.tif 000007
【図６】
2014077619.tif 000008
【図７】
2014077619.tif 000009
【図８】
2014077619.tif 000010
【図９】
2014077619.tif 000011
【図１０】
2014077619.tif 000012
【図１１】
2014077619.tif 000013